(57)【要約】【課題】木質部品含有の放射性廃棄物を減容させることのできる装置を提供すること。【解決手段】包装材で梱包された木質部品含有放射性廃棄物を開梱して包装材と木質部品含有放射性廃棄物とに分離する開梱ボックスと、前記開梱ボックスに隣接し、前記開梱ボックスから搬入された前記木質部品含有放射性廃棄物から、操作グローブを利用した手作業により操作されるバンドソーで木質部品を分離する木質部品分離ボックスと、前記木質部品分離ボックスに隣接し、分離された木質部品を切削処理する切削装置を備えた木質部品切削処理ボックスと、各ボックス内を負圧にし、各ボックス内部の気体を集約してフィルター装置を有する換気手段と、各ボックスに装備され、各ボックスの外から操作可能にする操作用グローブとを備えてなる木質部品含有放射性廃棄物減容装置。【選択図】図１
2008139172.tif 000002
【特許請求の範囲】
【請求項１】
包装材で梱包された、木質部品を有する木質部品含有放射性廃棄物を開梱して包装材と木質部品含有放射性廃棄物とに分離する開梱ボックスと、
前記開梱ボックスに隣接して配置され、前記開梱ボックスから搬入された前記木質部品含有放射性廃棄物から、操作グローブを利用した手作業により操作されるバンドソーにより、木質部品を分離する木質部品分離ボックスと、
前記木質部品分離ボックスに隣接して配置され、分離された木質部品を切削処理する切削装置を備えた木質部品切削処理ボックスと、
各ボックスの内部を負圧にし、各ボックス内部の気体を集約してフィルター装置に導く換気手段と、
各ボックスに装備され、各ボックスの外から操作可能にする操作用グローブとを備えてなることを特徴とする木質部品含有放射性廃棄物減容装置。
【請求項２】
前記開梱ボックスと木質部品分離ボックスと木質部品切削処理ボックスとが、ボックス内の物品を外部に搬出することなく隣接するボックスに移動することができるように連結されてなる前記請求項１に記載の木質部品含有放射性廃棄物減容装置。
【発明の詳細な説明】
【技術分野】
【０００１】
この発明は、木質部品含有放射性廃棄物減容装置に関し、さらに詳しくは、木質部品を含有する放射性廃棄物を減容させることのできる木質部品含有放射性廃棄物減容装置に関する。
【背景技術】
【０００２】
従来、原子力施設等で使用されていた放射性廃棄物である使用済み排気フィルター（例えば、ＨＥＰＡフィルター（High  Efficiency  Particle  Air  Filter））を廃棄物倉庫にて恒久的に保管する際にその保管容積を小さくするために、その使用済み排気フィルターをプレスするプレス減容処理、又は焼却する焼却減容処理が行われている。
【０００３】
また、プレス減容処理では、ＨＥＰＡフィルターをメディアセパレータと、このメディアセパレータを囲む木枠とに分離し、メディアセパレータがプレス処理されている。しかしながら、フィルターメディア及びセパレータで構成されるメディアセパレータには、フィルターメディアとセパレータとにさらに分離することができないので、減容の効果がさほど大きくないという問題点がある。
【０００４】
さらに、ＨＥＰＡフィルターの焼却減容処理においては、前記木枠は、難燃処理が施されているので、焼却炉において、燃焼効率が悪い。
【０００５】
したがって、上記のいずれの方法を採用しても、廃棄物の減容処理という観点から見ると、効率が悪いという問題点がある。
【発明の開示】
【発明が解決しようとする課題】
【０００６】
この発明は、このような従来の問題点を解消し、木質部品を含有する放射性廃棄物を減容させることができ、しかも木質部品を再利用することができ、放射性廃棄物から木質部品を分離するとともにその木質部品から放射性物質を含む部分を除去する一連の作業を安全に行うことのできる木質部品含有放射性廃棄物減容装置を提供することをその課題とする。
【課題を解決するための手段】
【０００７】
前記課題を解決するための手段として、
請求項１は、包装材で梱包された、木質部品を有する木質部品含有放射性廃棄物を開梱して包装材と木質部品含有放射性廃棄物とに分離する開梱ボックスと、
前記開梱ボックスに隣接して配置され、前記開梱ボックスから搬入された前記木質部品含有放射性廃棄物から、操作グローブを利用した手作業により操作されるバンドソーにより、木質部品を分離する木質部品分離ボックスと、
前記木質部品分離ボックスに隣接して配置され、分離された木質部品を切削処理する切削装置を備えた木質部品切削処理ボックスと、
各ボックスの内部を負圧にし、各ボックス内部の気体を集約してフィルター装置に導く換気手段と、
各ボックスに装備され、各ボックスの外から操作可能にする操作用グローブとを備えてなることを特徴とする木質部品含有放射性廃棄物減容装置であり、
請求項２は、前記開梱ボックスと木質部品分離ボックスと木質部品切削処理ボックスとが、ボックス内の物体を外部に搬出することなく隣接するボックスに移動することができるように連結されてなる前記請求項１に記載の木質部品含有放射性廃棄物減容装置である。
【発明の効果】
【０００８】
木質部品含有放射性廃棄物は包装材で気密に梱包されている。この梱包物を開梱ボックス内に手作業又は機械操作により搬入する。
【０００９】
開梱ボックスにおいては、開梱ボックスの外に居る操作者が操作用グローブに入れた手による操作にて、収容された梱包物を開梱して包装材と木質部品含有放射性廃棄物とに分離する。分離された包装材は、開梱ボックス内に予め備えておいた廃棄袋に、収容する。操作用グローブに入れた手による操作で、この廃棄袋の口を閉じる。この廃棄袋は、開梱ボックスから取り出して所定の場所に集積する。ここまでの操作においては、開梱ボックスは換気手段により負圧にされているので梱包ボックス内のガスが梱包ボックス外に漏出することがない。したがって、梱包ボックス内で例えば飛散した放射性物質が開梱ボックスから漏出することによる放射性物質の汚染が防止される。また開梱ボックス内の空気等のガスは、フィルター装置を有する換気手段により外部に排気されているから、放射性物質がフィルター装置でカットされ、この点からも開梱ボックスの周囲が放射性物質で汚染されることがない。なお、前記廃棄袋の数がある程度の数になると、この廃棄袋は定法に従って、焼却処理に供される。
【００１０】
また、開梱ボックス内で包装材を分離することにより得られた木質部品含有放射性廃棄物を、一旦外部に取り出すことなく、木質部品分離ボックスに搬入する。したがって、搬入操作中は、放射性物質が大気中に漏出することがないので、安全である。木質部品分離ボックス内で、木質部品分離ボックスの外に居る操作者が操作用グローブに入れた手でバンドソーを操作することにより、木質部品含有放射性廃棄物から木質部分を分離する。この分離操作中においても、前記開梱ボックスにおけるのと同様に、木質部品分離ボックスの外に放射性物質が漏出することがないし、また、操作用グローブを使用する手作業によるので操作者が放射性物質に汚染されることもない。
【００１１】
木質部品含有放射性廃棄物から木質部分が分離されたものを木質除去放射性廃棄物と仮称すると、この木質除去放射性廃棄物は、プラスチックシート等の包装材に包装され、その後に、この木質除去放射性廃棄物がこの木質部品分離ボックスから搬出される。包装作業及び搬出作業等の作業は、操作用グローブボックスに入れた手により行われる。
【００１２】
木質部品切削処理ボックスで、分離された木質部分は、その表面が、切削装置により削られる。この切削処理により、木質部分の表面に存在する放射性物質が、木質部分から分離される。切削装置により削りだされた切削片は、操作用グローブボックスに入れた手による作業で、たとえば包装材に包装され、この木質部品分離ボックスから搬出される。切削装置によりその表面が切削されて新鮮な木質表面を露呈する木材は、操作用グローブボックスに入れた手による作業で、たとえば包装材に包装され、この木質部品切削処理ボックスから搬出される。
【００１３】
この切削操作中においても、前記開梱ボックスにおけるのと同様に、木質部品切削処理ボックスの外に放射性物質が漏出することがない。
【００１４】
前記開梱ボックス、木質部品分離ボックス及び木質部品処理ボックスは、相互に連結されているので、内部の物品を一旦外部に搬出することにより隣接するボックスに搬入することによる放射性物質の汚染が防止される。
【００１５】
以上に詳述したように、この発明によると、木質部品を含有する放射性廃棄物から木質部品を除去することにより、外部に放射性物質による汚染を生じることなく、また、操作者に放射性物質含有の塵埃による汚染を生じさせることなく、木質部品含有放射性廃棄物の減容を図ることができる木質部品含有放射性廃棄物減容装置を提供することができ、しかも分離された木質部品から放射性物質を除去することにより再利用可能な木質部品を再生することのできる木質部品含有放射性廃棄物減容装置を提供することができる。
【発明を実施するための最良の形態】
【００１６】
以下、図面を参照しながらこの発明の一実施形態に係る木質部品含有放射性廃棄物減容装置について説明する。
【００１７】
図１に示されるように、木質部品含有放射性廃棄物減容装置１は、開梱ボックス２と、木質部品分離ボックス３と、木質部品切削処理ボックス４との三基のボックスを備える。
【００１８】
また、図２に示されるように、この木質部品含有放射性廃棄物減容装置１は、処理室５０内に設置される。図２において５１で示されるのは処理室５０の内外に出入りすることのできる扉である。
【００１９】
図１に示されるように、開梱ボックス２に、木質部品を有する木質部品含有放射性廃棄物に包装材例えばプラスチックシート２１に梱包されてなる梱包物が、搬入される。この梱包物の搬入は、プラスチックシート２１により梱包されているので、操作者は木質部品含有放射性廃棄物に直接接触することがないので、安全に行われる。
【００２０】
開梱ボックス２に搬入された梱包物は、操作用グローブ６に手を挿入した操作者による手作業により、プラスチックシート２１と木質部品含有放射性廃棄物例えばＨＥＰＡフィルター２２（High  Efficiency  Particle  Air  Filterの略）とに分離される。なお、プラスチックシート２１としては、例えば、ポリ塩化ビニル製の包装シート等を挙げることができる。また、包装材としては、前記プラスチックシートの他にプラスチックボックス、セラミック製容器等を挙げることができる。また、木質部品含有放射性廃棄物は、前記ＨＥＰＡフィルター２２の他に様々の放射性廃棄物を包含する。
【００２１】
開梱ボックス２は、床部、側壁部及び天井部からなる閉鎖空間を形成可能に、そして前記側壁部が、外部から内部を観察可能な材料で形成されている限り、どのような内部形状の閉鎖空間に形成されていてもよく、また側壁部を形成する材質には特に制限がない。側壁部は、例えば、透明アクリル板で形成されることができる。
【００２２】
この開梱ボックス２には、図示しない開閉扉が取り付けられている。この開閉扉から前記開梱ボックス２が、開梱ボックス２内に手作業又は搬入手段による自動作業により、搬入される。
【００２３】
また、開梱ボックス２の天井部２Ａには、換気手段例えばベンチレータ２３が設置されている。このベンチレータ２３は、開梱ボックス２の搬入口２Ｂ側に設置されている。このベンチレータ２３には、換気手段５が接続されている。このベンチレータ２３及び換気手段５により、開梱ボックス２内の気圧が負圧になる。
【００２４】
さらに、開梱ボックス２の側壁部２Ｄには、通気孔２Ｅが形成されている。通気孔２Ｅは、搬入口２Ｂ側の天井部２Ａ側の角隅部分に形成されている。また、開梱ボックス２の側壁部２Ｄには、操作用グローブ６が装備されている。この操作用グローブ６は、例えば、作業者の肩、腰、又は膝の位置に装備されている。操作用グローブ６は、開梱ボックス２の内部に向けて突出し、例えば、ゴム等の柔軟性及び気密性に優れた材料で形成されていればよい。
【００２５】
図２に示されるように、開梱ボックス２は、その内部に、ゴミ箱２４を備えている。ゴミ箱２４には、梱包品から分離されたプラスチックシート２１が収容される。
【００２６】
図３に示されるように、開梱ボックス２の内部の天井部には、天井に沿って移動可能な移動クレーン２５が設置されている。この移動クレーン２５は、例えば、梱包物をつり下げられ、又は、ＨＥＰＡフィルター２２をつり下げ、所定の位置から所望の位置へと梱包物又はＨＥＰＡフィルター２２を移送させる。この移動クレーン２５は、操作グローブ６に手を入れた操作者による手作業により、操作される。
【００２７】
図４に示されるように、開梱ボックス２内における梱包物の移動は、作業者Ａが操作用グローブ６に手を入れることにより、作業者Ａが、直接、対象物に触れることなく行うことができる。例えば、作業者Ａが移動クレーン２５に、対象物を吊り下げる。吊り下げられた梱包物を移動クレーン２５により、所定の位置、例えば、ゴミ箱２４まで移動させる。梱包物が所定の位置にまで移動したら、移動クレーン２５から梱包物を取り外し、そして梱包物からプラスチックシート２１を取り外して、ゴミ箱２４に取り付けられた廃棄袋内にプラスチックシート２１を投入する。この廃棄袋にプラスチックシート２１が満杯になったら、操作グローブに入れた手で廃棄袋の口を閉じ、その後に開梱ボックス２から口を閉じた廃棄袋を取り出して開梱ボックス２の外部にある所定の場所に廃棄袋を集積し、ある程度の数の廃棄袋が溜まったなら、これら廃棄袋を袋ごと焼却処理を行う。
【００２８】
そして、作業者Ａが移動クレーン２５に、ＨＥＰＡフィルター２２を吊り下げる。図１に示されるように、吊り下げたＨＥＰＡフィルター２２を移動クレーン２５により、次の所定の位置、例えば、木質部品分離ボックス３まで移動させる。
【００２９】
図１に示されるように、木質部品分離ボックス３は、前記開梱ボックス２に隣接して設置され、前記開梱ボックス２内の前記ＨＥＰＡフィルター２２を外部に一旦移送することなく、またこの開梱ボックス２内から木質部品分離ボックス３内に円滑に移送することができるように、形成されてなる。具体的には、図１及び図２に示されるように、床部、側壁部、区画壁３Ａ及び区画壁４Ｃにより内部空間が形成される。この区画壁３Ａには、前記梱包ボックス２から前記ＨＥＰＡフィルター２２を円滑に木質部品分離ボックス３内に移送可能なように、例えば移送開口部が設けられる。この移送開口部には、扉を設けていなくてもよく、また、扉を開閉自在に設けていても良い。
【００３０】
この木質部品分離ボックス３においては、開梱ボックス２内でプラスチックシート２１を分離したＨＥＰＡフィルター２２を一旦外部に取り出すことなく木質部品分離ボックス３に搬入することができる。したがって、放射性物質が含まれるＨＥＰＡフィルター２２を外部に一旦移送することにより生じる放射性物質汚染が防止される。
【００３１】
図１に示されるように、木質部品分離ボックス３の天井部３Ｂには、ベンチレータ３１が設置されている。このベンチレータ３１には、換気手段５が接続されている。このベンチレータ３１及び換気手段５により、木質部品分離ボックス３内が負圧になる。
【００３２】
木質部品分離ボックス３は、その側壁部が、外部から内部を観察可能な材料で形成されていればよく、例えば、透明アクリル板で形成されてなる。
【００３３】
さらに、木質部品分離ボックス３の側壁部３Ｃ及び側壁部３Ｄには、それぞれ通気孔３Ｅが形成されている。側壁部３Ｃの底部側の角隅部分に、通気孔３Ｅが形成されている。また、側壁部３Ｄの天井部３Ｂ側及び底部側の角隅部分に、それぞれ通気孔３Ｅが形成されている。また、木質部品分離ボックス３の側壁部３Ｃ及び側壁部３Ｄには、操作用グローブ６が装備されている。この操作用グローブ６は、例えば、作業者の肩、腰、又は膝の位置に装備されている。操作用グローブ６は、木質部品分離ボックス３の内部に向けて突出し、例えば、ゴム等の柔軟性及び気密性に優れた材料で形成されていればよい。
【００３４】
図２に示されるように、前記木質部品分離ボックス３内には、バンドソー３２及びゴミ箱３３が配置されている。また、図３に示されるように、木質部品分離ボックス３の内部の天井部にも、移動クレーン２５が設置されている。
【００３５】
先に、図４を示して説明したのと同様にして、作業者が操作用グローブ６に手を入れて手作業をすることにより、作業者は、直接、ＨＥＰＡフィルター２２に触れることなく、適宜、移動クレーン２５を使用して、ＨＥＰＡフィルター２２をバンドソー３２に移動させる。作業者Ａは、操作用グローブ６に入れた手を使って、ＨＥＰＡフィルター２２の木枠（図示せず。）とメディアセパレータ（図示せず。）との境目にバンドソー３２をあてて、ＨＥＰＡフィルター２２の木枠（図示せず。）の部分を切断する。ＨＥＰＡフィルター２２の木枠（図示せず。）とフィルターメディア及びセパレータで構成されるメディアセパレータ（図示せず。）とが分離される。分離されたメディアセパレータ（図示せず。）は、例えば、ゴミ箱３３に装着した廃棄袋に廃棄される。この廃棄袋がメディアセパレータで満杯になれば、廃棄袋の口を操作用グローブ６に入れた手を使って閉じ、口を閉じた廃棄袋を、操作用グローブ６に入れた手を使って木質部品分離ボックス３外に取り出す。取り出された廃棄袋が、所定の場所に集積される。集積作業においては、放射性物質を有するメディアセパレータが廃棄袋内に収容されているから、この廃棄袋を素手で操作しても放射性物質が操作者に付着するといった危険はない。ある程度の数の廃棄袋が溜まったなら、焼却処理を行う。
【００３６】
バンドソー３２で木質部品を分離する際に生じる木粉は、換気手段５により形成される吸引気流により木質部品分離ボックス３から排除される。
【００３７】
図１に示されるように、木質部品切削処理ボックス４、前記木質部品分離ボックス３に隣接して設置され、前記木質部品分離ボックス３内で分離された木枠を外部に一旦移送することなく、またこの木質部品分離ボックス３内から木質部品切削処理ボックス４内に円滑に移送することができるように、形成されてなる。具体的には、図１及び図２に示されるように、床部、側壁部、区画壁４Ｃにより内部空間が形成される。木質部品切削処理ボックス４における側壁部は、外部から内部を観察可能な材料で形成されていればよく、例えば、透明アクリル板で形成されてなる。
【００３８】
前記区画壁４Ｃには、前記木質部品分離ボックス３にて分離された木枠をこの木質部品分離ボックス３から木質部品切削処理ボックス４に円滑に移送可能なように、例えば移送開口部が設けられる。この移送開口部には、扉を設けていなくてもよく、また、扉を開閉自在に設けていても良い。
【００３９】
図１及び図２に示されるように、木質部品切削処理ボックス４は、その内部が区画壁４Ｄにより、第１切削処理ボックス４Ａと、第２切削処理ボックス４Ｂとに区画されてなる。この区画壁４Ｄは、第１切削処理ボックス４Ａ内の物体を第２切削処理ボックス４Ｂ内に移送することができるように、例えば移送開口部が設けられる。この移送開口部には、扉を設けていなくてもよく、また、扉を開閉自在に設けていても良い。
【００４０】
さらに、図１に示されるように、第１切削処理ボックス４Ａの側壁部４Ｆ及び第２切削処理ボックス４Ｂの側壁部４Ｇには、それぞれ通気孔４Ｅが形成されている。前記側壁部４Ｆの天井部側及び底部側の角隅部分に、それぞれ通気孔４Ｅが形成されている。また、前記側壁部４Ｇの天井部側及び底部側の角隅部分に、それぞれ通気孔４Ｅが形成されている。
【００４１】
また、第１切削処理ボックス４Ａの側壁部４Ｆ及び第２切削処理ボックス４Ｂの側壁部４Ｇには、操作用グローブ６が装備されている。この操作用グローブ６は、例えば、作業者の肩、腰、又は膝の位置に装備されている。操作用グローブ６は、第１切削処理ボックス４Ａ及び第２切削処理ボックス４Ｂの内部に向けて突出し、例えば、ゴム等の柔軟性及び気密性に優れた材料で形成されていればよい。
【００４２】
図１に示されるように、第１切削処理ボックス４Ａの天井部には、ベンチレータ４１が設置されている。このベンチレータ４１には、換気手段５が接続されている。このベンチレータ４１及び換気手段５により、第１切削処理ボックス４Ａ及び第２切削処理ボックス４Ｂ内の気圧を下げることができる。
【００４３】
図２に示されるように、前記第１切削処理ボックス４Ａ内には、切削装置４２及び木屑収納箱４３、４４が配置されている。また、第１切削処理ボックス４Ａ内の内部の天井部にも、移動クレーン（図示せず。）が設置されている。切削装置４２としては、例えば、電動カンナ等を挙げることができる。
【００４４】
先に、図４を示して説明したのと同様にして、作業者が操作用グローブ６をはめることにより、作業者が、直接、ＨＥＰＡフィルター２２の木枠（図示せず。）に触れることなく、適宜、移動クレーン（図示せず。）を使用して、ＨＥＰＡフィルター２２の木枠（図示せず。）を木質部品分離ボックス３から第１切削処理ボックス４Ａ内部に移動させる。その後、ＨＥＰＡフィルター２２の木枠（図示せず。）を切削装置４２の位置に移動させる。切削装置４２により、ＨＥＰＡフィルター２２の木枠（図示せず。）の表面を削る。ＨＥＰＡフィルター２２の木枠（図示せず。）の表面を削ることにより、新鮮な木質表面を露呈した木質材と、切削により生じた木屑とに分離される。この木屑は、例えば、木屑収納箱４３、４４に取り付けられた廃棄袋に廃棄される。この廃棄袋を第１切削処理ボックス４Ａ外に取り出し、所定の場所に貯留しておき、ある程度の数の廃棄袋が溜まったなら、焼却処理を行う。
【００４５】
図２に示されるように、前記第２切削処理ボックス４Ｂ内には、切削装置４５及び木屑収納箱４６が配置されている。また、第２切削処理ボックス４Ｂ内の内部の天井部にも、移動クレーン（図示しない。）が設置されている。切削装置４２としては、例えば、電動カンナ等を挙げることができる。
【００４６】
先に、図４を示して説明したのと同様にして、作業者が操作用グローブ６をはめることにより、作業者が、直接、新鮮な木質表面を露呈した木質材に触れることなく、適宜、移動クレーン（図示せず。）を使用して、前記木質材を第１切削処理ボックス４Ａから第２切削処理ボックス４Ｂ内部に移動させる。その後、前記木質材を切削装置４５の位置に移動させる。切削装置４５により、前記木質材の表面を削る。木質材の表面を削ることにより生じた木屑は、例えば、廃棄袋に覆われた木屑収納箱４６に廃棄される。この廃棄袋を第２切削処理ボックス４Ｂ外に取り出し、所定の場所に集積しておき、ある程度の数の廃棄袋が溜まったなら、焼却処理を行う。
【００４７】
なお、第２切削処理ボックス４Ｂ内部においても、木質材の切削作業を行ったが、第１切削処理ボックス４ＡにおけるＨＥＰＡフィルター２２の木枠（図示せず。）の切削作業により得られた木質材にはもはや放射性物質が含まれていないと判断できる場合には、第２切削処理ボックス４Ｂ内部において木質材の切削作業を行わなくてもよい。
【００４８】
また、切削作業を数段階に渡って、行う必要がある場合には、第３、第４・・・の切削処理ボックスを設けて、切削作業を行うようにしてもよい。
【００４９】
図１に示されるように、換気手段５は、フィルター装置５Ｂと、送風機５Ａとを備えてなり、開梱ボックス２、木質部品分離ボックス３、及び第１切削処理ボックス４Ａの内部を送風機５Ａにより負圧にし、開梱ボックス２、木質部品分離ボックス３、及び木質部品切削処理ボックス４内部の気体を集約してフィルター装置５Ｂに導く。
【００５０】
したがって、開梱ボックス２、木質部品分離ボックス３、及び第１切削処理ボックス４Ａ内を負圧にしているので、通気孔４Ｅを通じて、開梱ボックス２、木質部品分離ボックス３、及び第１切削処理ボックス４Ａ内に外部から外気を取り込むことができ、開梱ボックス２、木質部品分離ボックス３、及び第１切削処理ボックス４Ａ内の空気をフィルター装置５Ｂに導いているので、開梱ボックス２、木質部品分離ボックス３、及び第１切削処理ボックス４Ａ内の空気に含まれる放射性物質をフィルターにより集塵することができ、これによって放射性物質がボックス外に漏洩することがなく、したがって開梱ボックス２、木質部品分離ボックス３、及び第１切削処理ボックス４Ａ内の放射性塵埃が開梱ボックス２、木質部品分離ボックス３、及び第１切削処理ボックス４Ａ外に拡散することがない。
【００５１】
また、上記したように、廃棄袋を開梱ボックス２、木質部品分離ボックス３、及び第１切削処理ボックス４Ａ、及び第２切削処理ボックス４Ｂ外に取り出し、所定の場所に貯留しておき、ある程度の数の廃棄袋が溜まったなら、焼却処理を行う。したがって、木質部品を含有する放射性廃棄物、例えば、ＨＥＰＡフィルター２２を減容させることができる。
【００５２】
図１に示される木質部品含有放射性廃棄物減容装置は開梱ボックス、木質部品分離ボックス及び木質部品切削処理ボックスをＬ字型となるような平面配置にされているので、開梱ボックス及び木質部品切削処理ボックスに面する領域を廃棄袋の集積スペースにすることができる。また、木質部品含有放射性廃棄物減容装置におけるバンドソーで木質部分を切断分離する際に、木質部品分離ボックスにＨＥＰＡフィルターをセットしてあるので、自動送り装置により直接にＨＥＰＡフィルターに作業者が接触することなく木質部分を切断分離することができる。したがって、作業者が放射性物質に汚染された木質部分に直接に接触することによる障害が、防止される。
【図面の簡単な説明】
【００５３】
【図１】図１は、この発明の一例としての木質部品含有放射性廃棄物減容装置を示す斜視図である。
【図２】図２は、この発明の一例としての木質部品含有放射性廃棄物減容装置を示す平面図である。
【図３】図３は、開梱ボックス及び木質部品分離ボックスの内部を示す概略図である。
【図４】図４は、各ボックスの内部における作業状態を示す概略図である。
【符号の説明】
【００５４】
１      木質部品含有放射性廃棄物減容装置
２      開梱ボックス
２Ａ    天井部
２Ｂ    搬入口
２Ｄ    側壁部
２Ｅ    通気孔
３      木質部品分離ボックス
３Ａ    区画壁
３Ｂ    天井部
３Ｃ    側壁部
３Ｄ    側壁部
３Ｅ    通気孔
４      木質部品切削処理ボックス
４Ａ    第１切削処理ボックス
４Ｂ    第２切削処理ボックス
４Ｃ    区画壁
４Ｄ    区画壁
４Ｅ    通気孔
４Ｆ    側壁部４Ｆ
４Ｇ    側壁部４Ｇ
５      換気手段
５Ａ    送風機
５Ｂ    フィルター装置
６      操作用グローブ
２１    プラスチックシート
２２    ＨＥＰＡフィルター
２３    ベンチレータ
２４    ゴミ箱
２５    移動クレーン
３１    ベンチレータ
３２    バンドソー
３３    ゴミ箱
４１    ベンチレータ
４２    切削装置
４３    木屑収納箱
４４    木屑収納箱
４５    切削装置
４６    木屑収納箱
５０    処理室
５１    扉
Ａ      作業者
【図１】
2008139172.tif 000003
【図２】
2008139172.tif 000004
【図３】
2008139172.tif 000005
【図４】
2008139172.tif 000006